(57)【要約】家庭用器具は、開き可能なカバー（５，３１，４５，６３，９３）を備えているケーシング（２７）を包含する。貯蔵手段（９，２３，７９，８７）が、前記ケーシング内に、前記カバーの動きと応答して前記貯蔵手段を前記ケーシングに関して動かす手段（６，９，７７，８５）と一緒に、設けられている。前記貯蔵手段を動かす前記手段は前記貯蔵手段へのアクセスを可能にするために前記カバーが開かれたときに前記貯蔵手段を第１の方法で動かす手段と、前記貯蔵手段内のアイテムへのアクセスを可能にするために前記貯蔵手段の少なくとも一部分を第２の方法で動かす手段とを包含する。
2009526195.tif 000002
【特許請求の範囲】
【請求項１】
家庭用器具において、ケーシング（２７）と、このケーシングのための開き可能なカバー（５，３１，４５，６３，９３）と、前記ケーシング内の貯蔵手段（２３，７９，８７）と、前記カバーの動きに応答して前記貯蔵手段を前記ケーシングに関して動かす手段（７７，８５）とを包含し、前記貯蔵手段を動かす前記手段が、前記貯蔵手段へのアクセスを可能にするために前記カバーが開かれたときに前記貯蔵手段を第１の方法で動かす手段と、前記貯蔵手段内のアイテムへのアクセスを可能にするために前記貯蔵手段の少なくとも一部分を第２の方法で動かす手段とを包含することを特徴とする家庭用器具。
【請求項２】
請求項１記載の家庭用器具において、前記貯蔵手段（２３，８７）が前記カバー（５，３１，４５，６３，９３）に取り付けられていることを特徴とする家庭用器具。
【請求項３】
請求項１又は２記載の家庭用器具において、前記カバー（９３）が実質的に平らであることを特徴とする家庭用器具。
【請求項４】
請求項１又は２記載の家庭用器具において、前記カバー（５，３１，４５，６３）がわん曲、例えば半円形にわん曲されていることを特徴とする家庭用器具。
【請求項５】
請求項１〜４のいずれか一項に記載の家庭用器具において、前記第１の方法の動きを行うために、前記カバー（５，３１，４５，６３）が前記ケーシングに関して枢着されていることを特徴とする家庭用器具。
【請求項６】
請求項１〜４のいずれか一項に記載の家庭用器具において、前記第１の方法の動きを行うために、前記カバー（９３）が例えば前記ケーシングへ向かうようにまた前記ケーシングから離れるように前記ケーシング（２７，８３）に関してスライド可能であることを特徴とする家庭用器具。
【請求項７】
請求項１〜６のいずれか一項に記載の家庭用器具において、前記カバー（４５）に、前記カバーが開かれたときに前記カバーの少なくとも一部分を支持する支持手段（６１）が設けられていることを特徴とする家庭用器具。
【請求項８】
請求項１〜７のいずれか一項に記載の家庭用器具において、前記貯蔵手段を動かす前記手段が、前記貯蔵手段へのアクセスを可能にするために前記カバー（５，３１，４５，５９，６３，７１，９３）が開かれたときに前記貯蔵手段を第３の方法で動かす手段を包含することを特徴とする家庭用器具。
【請求項９】
請求項８記載の家庭用器具において、前記貯蔵手段を前記第３の方法で動かすために、前記カバー（５，３１，５９，７１，９３）に関して上下に動くことができる支持手段（１３，３７，５７，５９）により前記貯蔵手段が前記カバーに関して取り付けられていることを特徴とする家庭用器具。
【請求項１０】
請求項９記載の家庭用器具において、前記貯蔵手段を取り付ける手段が前記カバー（５，３１，４５，６３）の内面に取り付けた軌道部材（１５，３９，５９，７１）から成ることを特徴とする家庭用器具。
【請求項１１】
請求項９記載の家庭用器具において、前記貯蔵手段を取り付ける手段が前記ケーシング内に取り付けた軌道部材（９１）から成ることを特徴とする家庭用器具。
【請求項１２】
請求項１〜１１のいずれか一項に記載の家庭用器具において、前記貯蔵手段が、前記第２の方法の動きを行うために第１の貯蔵手段に枢動可能に取り付けられて実質的に水平な面内に動くことができる第２の貯蔵手段（７，３３，４７，６５）を包含することを特徴とする家庭用器具。
【請求項１３】
請求項１２記載の家庭用器具において、前記第２の貯蔵方法（７，３３，４７，６５）のための取付け手段（９，３５，４９，６７）が前記カバー（５，３１，４５，６３）の自由縁の区域に配設されていることを特徴とする家庭用器具。
【請求項１４】
請求項１２又は１３記載の家庭用器具において、前記取付け手段（９，３５，４９，６７）がヒンジの形であることを特徴とする家庭用器具。
【請求項１５】
請求項１〜１１のいずれか一項に記載の家庭用器具において、前記取付け手段が前記第２の方法の動きを行うために第１の貯蔵手段（２３，７９）にスライド可能に取り付けられている第２の貯蔵手段（２５，８１）を包含することを特徴とする家庭用器具。
【請求項１６】
請求項１５記載の家庭用器具において、前記第２の方法の動きが前記第１の方法の動きと同じ方向であることを特徴とする家庭用器具。
【請求項１７】
請求項１５記載の家庭用器具において、前記第２の方法の動きが前記第１の方法の動きに対して実質的に垂直であることを特徴とする家庭用器具。
【請求項１８】
請求項１２〜１７のいずれか一項に記載の家庭用器具において、前記取付け手段（９，３５，４９）が前記第２の貯蔵手段（７，３３，４７）を前記第１の貯蔵手段から取り外すことができるようにしたことを特徴とする家庭用器具。
【請求項１９】
請求項１２〜１８のいずれか一項に記載の家庭用器具において、前記第２の貯蔵手段がトレー（７）、引出し（８９）、棚（３３，４７，８１）及びバスケット（６５）から選択されることを特徴とする家庭用器具。
【請求項２０】
請求項１２〜１９のいずれか一項に記載の家庭用器具において、前記第２の貯蔵手段（７，３３，４７，８１）が前記第１の貯蔵手段に関して上下に動くことができることを特徴とする家庭用器具。
【請求項２１】
請求項１２〜２０のいずれか一項に記載の家庭用器具において、前記第２の貯蔵手段がわん曲（７，３３，４７）、例えば実質的に円形、長円形又は楕円形にわん曲されていることを特徴とする家庭用器具。
【請求項２２】
請求項１２〜２０のいずれか一項に記載の家庭用器具において、前記第２の貯蔵手段（２５，８１，８９）が実質的に矩形であることを特徴とする家庭用器具。
【請求項２３】
請求項１〜２２のいずれか一項に記載の家庭用器具において、前記貯蔵手段が手動的に又は例えば使用者が適当なスイッチを作動せしめた場合には自動的に動くことができることを特徴とする家庭用器具。
【請求項２４】
請求項１〜２３のいずれか一項に記載の家庭用器具において、前記貯蔵手段が例えば使用者が適当なスイッチを作動せしめた場合には自動的に動くことができることを特徴とする家庭用器具。
【請求項２５】
請求項２３又は２４記載の家庭用器具において、一方の方法の動きが自動的又は手動的に行われ、また他方の方法の動きが同一又は異なる手段により行われることを特徴とする家庭用器具。
【請求項２６】
請求項１〜２５のいずれか一項に記載の家庭用器具において、家庭用器具が冷蔵庫、冷凍庫（３，５１）、調理器具、食器洗浄機及び例えば貯蔵食器棚（７３，７５）のような調度品から選択されることを特徴とする家庭用器具。
【発明の詳細な説明】
【技術分野】
【０００１】
本発明は、例えば冷蔵庫、調理器具、冷凍庫などの家庭用器具に関する改良に関し、家庭用器具にはまた例えばキッチン食器棚などの調度品も含まれる。
【背景技術】
【０００２】
家庭用器具は一般にエネルギー効率がよく、有効に作動するけれども、このような家庭用器具の内部へアクセスすることがしばしば使用者にとって不便であり、使用者は、しばしば、身を曲げること、例えば背を曲げること又はひざまずくこととが必要であることがわかっており、また、家庭用器具の内部に手を伸ばしてアイテムを取ることが困難であることもわかっている。
【０００３】
例えば、冷蔵庫がこの冷蔵庫の中に貯蔵されている食品のようなアイテムでいっぱいであるときは、使用者にとって、棚の背面区域に貯蔵されているアイテムを見つけて取り出すことは困難である。一般に、所望したアイテムを見つけるためには、他のアイテムを取り出すこと又は少なくとも動かすことが必要とされる。
【０００４】
また、冷蔵庫の底部の冷凍区画室又は他の区域へアクセスすることは、老人又は体が弱い人にとっては困難であり、これらの人は若い使用者と同じ動き範囲をとることができない。冷蔵庫の下方区域へアクセスするために使用者が身を曲げることは、多くの使用者にとって困難であって、フラストレーションを起こさせるものであり、またけがを生じさせるものである。
【０００５】
チェスト型冷凍庫がアイテムで一杯であるときには、使用者にとって、冷凍庫の底部に貯蔵されているアイテムを見つけることは困難であって、フラストレーションを起こさせるものである。すなわち、使用者にとって、アイテムを見つけることが困難であるのみならず、冷凍庫の内部の下方区域へ手を伸ばすために身を曲げることが必要とされる。
【０００６】
同様な問題は、キッチンフロアの区域に置かれているキッチン食器棚でも生じる。
【発明の開示】
【発明が解決しようとする課題】
【０００７】
したがって、本発明の目的は公知の家庭用器具の上述した欠点を除去又は少なくとも改善する、改良した家庭用器具を提供することにある。
【課題を解決するための手段】
【０００８】
本発明によれば、家庭用器具において、ケーシングと、このケーシングのための開き可能なカバーと、前記ケーシング内の貯蔵手段と、前記カバーの動きに応答して前記貯蔵手段を前記ケーシングに関して動かす手段とを包含し、前記貯蔵手段を動かす前記手段が、前記貯蔵手段へのアクセスを可能にするために前記カバーが開かれたときに前記貯蔵手段を第１の方法で動かす手段と、前記貯蔵手段内のアイテムへのアクセスを可能にするために前記貯蔵手段の少なくとも一部分を第２の方法で動かす手段とを包含することを特徴とする家庭用器具が提供される。
【０００９】
前記貯蔵手段は、前記カバーに取り付けることができる。
【００１０】
前記カバーは、実質的に平らにすることができる。又は、前記カバーはわん曲、例えば半円形にわん曲することができる。
【００１１】
前記第１の方法の動きを行うために、前記カバーは前記ケーシングに関して枢着することができる。代替的に、前記第１の方法の動きを行うために、前記カバーは例えば前記ケーシングへ向かうようにまた前記ケーシングから離れるように前記ケーシングに関してスライド可能とすることができる。
【００１２】
前記カバーに、前記カバーが開かれたときに前記カバーの少なくとも一部分を支持する支持手段を設けることができる。
【００１３】
前記貯蔵手段を動かす前記手段は、前記貯蔵手段へのアクセスを可能にするために前記カバーが開かれたときに前記貯蔵手段を第３の方法で動かす手段を包含することができる。
【００１４】
前記貯蔵手段は、前記第３の方法で動かすために、前記カバーに関して上下に動くことができる支持手段により前記貯蔵手段を前記カバーに関して取り付けることができる。前記貯蔵手段を取り付ける手段は、前記カバーの内面に取り付けた軌道部材から成ることができる。代替的に、前記貯蔵手段を取り付ける手段は前記ケーシング内に取り付けた軌道部材から成ることができる。
【００１５】
前記貯蔵手段は、前記第２の方法の動きを行うために第１の貯蔵手段に枢動可能に取り付けられて実質的に水平な面内に動くことができる第２の貯蔵手段を包含することができる。前記第２の貯蔵手段のための取付け手段は、前記カバーの自由縁の区域に配設することができる。前記取付け手段は、ヒンジの形とすることができる。
【００１６】
代替的に、前記取付け手段は前記第２の方法の動きを行うために第１の貯蔵手段にスライド可能に取り付けられている第２の貯蔵手段を包含することができる。前記第２の方法の動きは、前記第１の方法の動きと同じ方向とすることができる。又は、前記第２の方法の動きは前記第１の方法の動きに対して実質的に垂直とすることができる。
【００１７】
前記取付け手段は、前記第２の貯蔵手段を前記第１の貯蔵手段から取り外すことができるようにすることができる。
【００１８】
前記第２の貯蔵手段はトレー、引出し、棚及びバスケットから選択されることができる。
【００１９】
例えば２つの隣接する棚間の間隔を調節するために、前記第２の貯蔵手段は前記第１の貯蔵手段に関して上下に動くことができるようにすることができる。
【００２０】
前記第２の貯蔵手段は、わん曲、例えば実質的に円形、長円形又は楕円形にわん曲することができる。代替的に、前記第２の貯蔵手段は実質的に矩形とすることができる。
【００２１】
前記貯蔵手段は、手動的に又は例えば使用者が適当なスイッチを作動せしめた場合には自動的に動くことができるようにすることができる。一方の方法の動きが自動的又は手動的に行われ、また他方の方法の動きが同一又は異なる手段により行われるようにすることができる。
【００２２】
家庭用器具は冷蔵庫、冷凍庫、調理器具、食器洗浄機及び例えば貯蔵食器棚のような調度品から選択することができる。
【発明を実施するための最良の形態】
【００２３】
本発明を良く理解し、また本発明が実際にどのようにして実施されるかを一層明確に示すために、以下添付図面を参照して本発明の実施例について詳述する。
【００２４】
図１〜図５は上方部分に冷蔵庫１をまた下方部分に冷凍庫３を有する、冷蔵庫と冷凍庫との組合体の実施例を示す。図１は、この器具の上下両部分のドアが閉じていることを示す斜視図であって、器具がわん曲、例えば半円形の正面部を有する、大体矩形状のボックス又はケーシングの形であることを示す。しかしながら、器具は任意の適当な全体形状を有することができることを留意すべきである。冷蔵庫１及び冷凍庫３の両方の内部に適当なスペース、例えば図２〜図５に示されているように円形の断面のスペースを形成して円筒形の形状のスペースを形成するために、冷蔵庫１及び冷凍庫３の内部もまたわん曲、例えば半円形の形状とすることができる。
【００２５】
図２は冷凍庫のドア５が開いている状態を示し、ドア５はヒンジ６又は同種物に開閉自在に枢着されている。ドア５の内側部は複数の実質的に円筒形のトレー７（又はコンパートメント）を保持し、これらのトレー７は冷凍庫３の円筒形内部内に収納される。このような構成は、冷凍庫のドア５を容易に開閉することができるようにする。器具の頂部に概略的に示されているものは円形部材１１であり、一対の矢印は冷凍庫１の円筒形内部内の多数の棚（図示せず）が回転可能であることを示す。これについては、後で一層詳細に説明する。
【００２６】
図３から見ることができるように、複数のトレー７はヒンジ９の手段によりドア５の自由縁の区域に枢動可能に取り付けられ、その結果、これらのトレー７は冷凍庫３及びそのドア５から外側の実質的に水平な面内に枢動可能であり、これによりトレー７の内容物へのアクセスを容易にする。トレー７は、また、例えばヒンジ９の手段によりドア５から取外し可能であり、これによりドアの掃除を容易にする。トレー７は、円形である必要はなく、冷蔵庫のドア及び冷凍庫のドアを容易に開閉することができるようにする任意適当な形状、例えば長円形又は楕円形とすることができる。図３の冷凍庫３は図２に示されている冷凍庫３よりも小さく、３つだけのトレー７のためのスペースがあり、それに対応して冷凍庫１が大きくなっている。
【００２７】
図４は、トレー７が冷凍庫３のドア５に取り付けたわん曲支持体１３に枢動可能に取り付けられ、支持体１３が図４に概略的に示されている昇降手段１５によりドア５の残部に関して上下に移動可能であり、これにより使用者が身を相当曲げる必要なしにトレー７の内容物へのアクセスを容易にすることを示す。図４は、上昇した位置のトレー７を示す。図４に示されているように、昇降手段又は機構１５は、ドア５の構体に設けることができ、例えば、摩擦を最小にするためにドア５の内面に設けた軌道又は同種物の上を走行することができ、また、電動機をその関連する歯車機構と一緒に包含することができる。しかしながら、昇降手段は器具に関してほかの場所に、例えばドア５の外部に設けることができることを留意すべきである。このような昇降手段の構成は、十分に、平均の熟練した者の能力内のものであり、いかなる創作力も必要とするものではない。もし所望するならば、昇降手段１５は、冷凍庫のドア５が開かれたときに、自動的に作動せしめることができる。代替的に、昇降手段は適当なスイッチの手段に作動せしめることができ、又は手動的に作動せしめることができる。昇降手段１５が自動的に作動させられる場合には、これは例えば適当なスイッチの手段により冷凍庫のドア５の自動開きと結合することができる。トレー７は、自動的に又は手動的に、個々に又は全部一緒に外側へ回転させることができる。
【００２８】
図５において、冷凍庫１のドア１７が開かれて、複数の円形の棚１９を見せている。図５の棚１９の部分に付した矢印により示されているように、これらの棚１９はどちらの方向へも回転することができる。もし所望するならば、これらの棚１９は回転装置２１により回転させることができ、回転装置２１はこれらの棚１９を個々に又は全部一緒に回転せしめることができる。回転装置２１は、これらの棚１９を、予めセットした又は使用者により選択可能な多数の異なるモードで回転させることができる。例えば、棚は、自動的に又は半自動的に（例えば、スイッチの各作動に対して所定の回転角度）回転させることができ、又はもし所望するならば段々に回転させることができる。他の代替例として、棚１９は、例えば適当なスイッチを作動せしめることにより、手動制御の下で回転させることができる。更に他の代替例として、回転装置２１を省略して棚１９を人為的に回転させることができる。
【００２９】
このような器具は、ASCEART（Automated Shelves Compartment Elevator And Revolving Technology）器具と称することができる。
【００３０】
図６及び図７は、チェスト型冷凍庫の斜視図である。図７は、ケーシング及び並んで配置された多数のコンパートメント２３を有する冷凍庫を示し、各コンパートメントは複数の引出し２５を有している。これに対し、図６は冷凍庫の本体２７内に下降されているコンパートメント２３及び冷凍庫を閉じた状態に密封していることを示している。したがって、コンパートメント２３の頂部は、本体２７内に完全に下降させられたときに、冷凍庫のための蓋として働く。コンパートメント２３は、これらのコンパートメントを最小の摩擦で上下に動かす支持装置（図示せず）の手段により、本体２７内に取り付けられている。図７から見ることができるように、コンパートメント２３は異なる高さに上昇することができ、したがって異なる数の引出し２５を露出することができる。コンパートメントは、互いに独立して昇降させることができ、また同一又は異なる高さに上昇せしめることができ、又は単一のコンパートメントだけを単独に上昇せしめることができる。したがって使用者は、身を相当曲げる必要なしに所望した引出し２５を開いてアクセスするために適当な高さにコンパートメント２３を上昇せしめるために、例えば支持装置を作動せしめる適当なスイッチを用いることにより、選択したコンパートメントを上昇せしめることができる。引出しは、取っ手２９を用いることにより手動的に開閉することができ、又は適当なスイッチを用いることにより、自動的に開閉することができる。このような支持装置の構成は、十分に、平均の熟練した者の能力内のものであり、それ自体いかなる創作力も必要とするものではない。
【００３１】
図８〜図１０は、家庭用調理器具を示す。図８は、オーブンドア３１が閉じた位置である状態の調理器具の斜視図である。図８から見ることができるように、調理器具はわん曲、例えば半円形の正面部を有する、大体矩形状のボックス又はケーシングの形である。しかしながら、調理器具は任意適当な形状とすることができるものである。オーブン内に適当なスペース、例えば円形の断面のスペースを形成して円筒形の形状のスペースを形成するために、オーブンの内部はわん曲、例えば半円形にわん曲せしめることができる。
【００３２】
図９はオーブンのドア３１が開いた位置にある状態を示し、ドア３１はヒンジ３２又は同種物に枢動可能に取り付けられている。ドア３１の内側部は複数の実質的に円形のオーブン棚３３を担持し、これらのオーブン棚３３はオーブンの円筒形内部内に収納されている。このような構成は、オーブン内のオーブン棚をつかむことなしに、オーブンのドア３１を開閉することを容易にする。
【００３３】
図９及び図１０から見ることができるように、オーブン棚３３はヒンジ３５又は同種物の手段によりオーブンドア３１の自由縁の区域に枢動可能に取り付けられ、その結果、これらのオーブン棚３３はオーブン及びオーブンドアから外側の実質的に水平な面内に枢動可能であり、これによりオーブン棚へのアクセスを容易にする。オーブン棚３３は、また、例えばヒンジ３５の手段によりオーブンドアから取外し可能であり、これによりオーブンドアの掃除を容易にすると共にオーブン棚の数を変えることができる。オーブン棚３３は、更に、それらの間の間隔をオーブン内で調理しようとする食品と適合せしめるために、互いに関して上下に移動可能である。オーブン棚３３は、円形である必要はなく、オーブンのドアを容易に開閉することができるようにする任意適当な形状、例えば長円形又は楕円形とすることができる。図１０のオーブンの構成は図９のオーブンの構成とは異なっており、３つのオーブン棚３３が図１０のオーブンに設けられているのに対し、２つだけのオーブン棚３３が図９のオーブンに設けられていることに留意すべきである。
【００３４】
特に図１０から見ることができるように、オーブン棚３３はわん曲した支持体３７に枢動可能に取り付けられ、支持体３７がそれからオーブンドア３１の内面に取り付けられている。支持体３７は、図１０に概略的に示されている昇降手段又は機構３９によりオーブンドア３１の残部に関して上下に移動可能であり、これにより使用者が身を相当曲げる必要なしにオーブン棚３３へのアクセスを容易にする。図１０は、上昇した位置のオーブン棚３３を示す。図１０に示されているように、昇降手段３９は、ドア３１の構体に設けることができ、例えば、ドアの内面に設けた軌道又は同種物の上を走行することができる。このような昇降手段の構成は、十分に、平均の熟練したものの能力内のものであり、それ自体いかなる創作力も必要としないものである。もし所望するならば、昇降手段３９は、オーブンドア３１が開かれたときに、自動的に作動せしめることができる。代替的に、昇降手段は適当なスイッチの手段により作動せしめることができ、又は手動的に作動せしめることができる。昇降手段３９が自動的に作動させられる場合には、これは例えば適当なスイッチの手段によりオーブンドア３１の自動開きと結合することができる。オーブン棚３３は、自動的に又は手動的に、個々に又は全部一緒に外側へ枢動させることができる。
【００３５】
オーブンに加え、図８〜図１０の家庭用調理器具は、また、複数の加熱区域４３が設けられているホブ４１を包含する。図９及び図１０に矢印により示されているように、ホブ４１は、オーブンの上に回転可能に取り付けられ、これにより使用者がホブを回転せしめて、所望した加熱区域４３をホブの背面区域からホブの正面区域にもたらすことができるようにしている。このような構成は、加熱区域４３が使用されていることと関係なく、使用者が調理器具へ容易にアクセスすることができるようにする。これは、特に、すべての加熱区域が使用されているときに、又は異なる大きさの加熱区域が要求されているときに、有益である。このような回転装置の構成は、十分に、平均の熟練した者の能力内のものであり、それ自体いかなる創作力も必要としないものである。
【００３６】
図１１〜図１３は、冷蔵庫、より詳細にはアンダーカウンター型冷蔵庫の変形例を示す。図１１は、冷蔵庫のドアが閉じている状態を示すと共に、冷蔵庫がわん曲、例えば半円形の正面部を有する、大体矩形状のボックス又はケーシングの形であることを示す。しかしながら、この器具は任意の適当な形状とすることができるものである。器具内に適当なスペース、例えば図１２及び図１３に示されているように円形の断面のスペースを形成して円筒形の形状のスペースを形成するために、冷蔵庫の内部もまたわん曲、例えば半円形にわん曲せしめることができる。
【００３７】
図１２及び図１３は、冷蔵庫のドア４５をヒンジ４６又は同種物を介して枢動せしめることにより、ドア４５が開かれている状態を示し、冷蔵庫の円形内部内に収納されていた複数の実質的に円形の棚（又はトレー）４７を見せている。このような構成は、冷蔵庫のドア４５を容易に開閉することができるようにする。２つの棚４７が図１２に示されているのに対し、３つの棚４７が図１３に示されていることを留意すべきである。
【００３８】
図１２及び図１３から見ることができるように、複数の棚４７はヒンジ４９又は同種物の手段によりドア４５の自由縁の区域に枢動可能に取り付けられ、その結果、これらの棚４７は冷蔵庫及びそのドア４５から外側の実質的に水平な面内に枢動可能であり、これにより棚４７上に貯蔵されている、冷蔵庫の内容物へのアクセスを容易にする。棚４７は、また、例えばヒンジ４９の手段によりドア４５から取外し可能であり、これによりドアの掃除を容易にする。棚４７は、円形である必要はなく、冷蔵庫のドアを容易に開閉することができるようにする任意適当な形状、例えば長円形又は楕円形とすることができる。
【００３９】
図１２及び図１３は、また、実質的に円形の冷凍コンパートメント５１を示す。この冷凍コンパートメント５１もまたひとつ又はそれ以上のヒンジ４９の手段によりドア４５の自由縁の区域に枢動可能に取り付けられ（また、ドア４５から取外し可能であり）、その結果、冷凍コンパートメント５１は冷蔵庫から外側の実質的に水平な面内に枢動可能であり、これにより冷凍コンパートメントの内部へのアクセスを容易にする。また、冷凍コンパートメント５１にはカバー（又は蓋）５３が設けられ、このカバーは棚４７と同じようにヒンジの手段によりドア４５の自由縁の区域に枢動可能に取り付けられ、これにより冷凍コンパートメント５１の内部へのアクセスをできるようにする。代替的に、カバー５３は冷凍コンパートメントそれ自体に枢動可能に取り付けることができる。冷凍コンパートメント５１には、冷凍コンパートメントの内部を冷却する手段に冷蔵庫の内部を接続する接続手段５５が設けられている。
【００４０】
図１２及び図１３は、棚４７及び冷凍コンパートメント５１が冷蔵庫のドア４５に取り付けたわん曲支持体５７に枢動可能に取り付けられ、支持体５７が図１２及び図１３に概略的に示されている昇降手段又は機構５９によりドア４５の残部に関して上下に移動可能であり、これにより使用者が身を相当曲げる必要なしに棚及び冷凍コンパートメントの内容物へのアクセスを容易にすることを示す。図１３は、上昇した位置の棚４７を示す。図１３に示されているように、昇降手段又は機構１５は、ドア４５の構体に設けることができ、例えば、ドア４５の内面に設けた軌道又は同種物の上を走行することができる。昇降手段は、もし所望するならば、器具に関してほかの場所に、設けることができる。このような昇降手段の構成は、十分に、平均の熟練した者の能力内のものであり、いかなる創作力も必要とするものではない。もし所望するならば、昇降手段５９は、冷蔵庫のドア４５が開かれたときに、自動的に作動せしめることができる。代替的に、昇降手段は適当なスイッチの手段により作動せしめることができ、又は手動的に作動せしめることができる。昇降手段５９が自動的に作動させられる場合には、これは例えば適当なスイッチの手段により冷蔵庫のドア４５の自動開きと結合することができる。棚４７、及びもし所望するならば冷凍コンパートメント５１は、自動的に又は手動的に作動させられて、個々に又は全部一緒に外側へ回転させることができる。
【００４１】
冷蔵庫のドア４５には、接地支持手段６１を設けることができる。この接地支持手段６１は、ドアが開かれたときに、ドアの自由縁においてドアを支持するのを助け、これにより、ドアが開かれたときにおけるドア及びその支持体上の応力を減少せしめる。接地支持手段６１は、もし所望するならば、車輪、キャスター又は同種物から成ることができる。
【００４２】
図１４〜図１６は、食器洗浄機の実施例を示す。図１４は、食器洗浄機のドアが閉じている状態を示すと共に、食器洗浄機がわん曲、例えば半円形の正面部を有する、大体矩形状のボックス又はケーシングの形であることを示す。しかしながら、この器具はもし所望するならば他の形状とすることができるものである。器具内に適当なスペース、例えば図１５及び図１６に示されているように円形の断面のスペースを形成して円筒形の形状のスペースを形成するために、食器洗浄機の内部もまたわん曲、例えば半円形にわん曲せしめることができる。
【００４３】
図１５及び図１６は、食器洗浄機のドア６３をヒンジ６４又は同種物を介して枢動せしめることにより、ドア６３が開かれている状態を示し、食器洗浄機の円形内部内に収納されていた複数の実質的に円形のバスケット６５を見せている。このような構成は、食器洗浄機のドア１３を容易に開閉することができるようにする。
【００４４】
図１５及び図１６から見ることができるように、複数のバスケット６５はヒンジ６７又は同種物の手段によりドア６３の自由縁の区域に枢動可能に取り付けられ、その結果、これらのバスケット６５は食器洗浄機及びそのドア６３から外側の実質的に水平な面内に枢動可能であり、これにより食器洗浄機のバスケット６５内に積み上げられているアイテムへのアクセスを容易にする。バスケット６５は、また、例えばヒンジ６７の手段により食器洗浄機のドア６３から取外し可能であり、これによりドアの掃除を容易にする。バスケット６５は、円形である必要はなく、食器洗浄機のドアを容易に開閉することができるようにする任意適当な形状、例えば長円形又は楕円形とすることができる。
【００４５】
図１５及び１６は、バスケット６５が食器洗浄機のドア６３に取り付けたわん曲支持体６９に枢動可能に取り付けられ、支持体６９が図１６に概略的に示されている昇降手段又は機構７１によりドア６３の残部に関して上下に移動可能であり、これにより使用者が身を相当曲げる必要なしにバスケット６５の内容物へのアクセスを容易にすることを示す。図１６は、上昇した位置のバスケット６５を示す。図１６に示されているように、昇降手段７１は、ドア６３の構体に設けることができ、例えば、ドア６３の内面又はもし所望するならば器具に関してほかの場所に設けた軌道又は同種物の上を走行することができる。このような昇降手段の構成は、十分に、平均の熟練した者の能力内のものであり、いかなる創作力も必要とするものではない。もし所望するならば、昇降手段７１は、食器洗浄機のドア６３が開かれたときに、自動的に作動せしめることができる。代替的に、昇降手段は適当なスイッチの手段により作動せしめることができ、又は手動的に作動せしめることができる。昇降手段７１が自動的に作動させられる場合には、これは例えば適当なスイッチの手段により食器洗浄機のドア６３の自動開きと結合することができる。バスケット６５は、自動的に又は手動的に作動させられて、個々に又は全部一緒に外側へ回転させることができる。
【００４６】
図１７は、図８〜図１０による調理器具、及び図１〜図５による冷蔵庫と冷凍庫との組合体を組み込んでいるキッチンの一部分の斜視図である。
【００４７】
図１８〜図２０はキッチンの食器棚の配置の斜視図であり、少なくとも食器棚７３及び７５はケーシング及びドアを包含して、本発明の態様を具体化している。図１９から見ることができるように、食器棚７３及び７５は、食器棚の頂部（食器棚７３の場合）又は食器棚の底部（食器棚７５の場合）の区域に設けることができる軌道装置７７又は同種の装置を包含し、これにより、棚ユニット７９を食器棚から外へスライドすること及び閉じ位置へ戻すことができる。
【００４８】
図２０から見ることができるように、棚ユニット７９は図２０に矢印により示されている昇降装置を包含し、これにより棚ユニットの棚８１を適当に昇降せしめることができる。図２０から明らかであるように、地面レベルの上方に十分な距離を置いている棚８１は、最初に下降させられて棚の内容物へのアクセスを可能にし、それから上昇させられる。一方、地面レベルに近い棚は最初に上昇させられて棚の内容物へのアクセスを可能にし、それから下降させられる。したがって、食器棚７３の棚８１は下降させられてアクセスを可能にし、それから上昇させられ食器棚内にしまい込まれるのに対し、食器棚７５の棚８１は上昇させられてアクセスを可能にし、それから下降させられて食器棚内にしまいこまれる。
【００４９】
図２０は、また、棚８１が動かされると（下降又は上昇させられると）、棚８１は、それから、図２０に矢印により示されているように、実質的に水平な面内に動かすことができ、これにより個々の棚へのアクセスを更に改善せしめることを示す。棚８１は、棚ユニット７９の最初の動きと大体同じ方向に動くことができ、これにより棚ユニットと棚との組合体を単一の方向へ更に延ばすことができる。又は、代替的に、棚８１は棚ユニット７９の動きの最初の方向に対して実質的に垂直な方向（横方向）へ動かすことができる。
【００５０】
もし所望するならば、昇降手段は、食器棚７３，７５が開かれたときに、自動的に作動させることができる。代替的に、昇降手段は適当なスイッチの手段により作動させることができ、又は手動的に作動可能とすることができる。棚の更なる動きは、手動的に又は適当なスイッチの手段により行うことができる。
【００５１】
スライド棚は、もし所望するならば、他の型式の棚に代えることができることを留意すべきである。例えば、棚は軸線のまわりを回転可能にすることができ、又はひとつ又はそれ以上の棚は引出し、例えば刃物類入れに代えることができる。
【００５２】
代替的な例として、例えば図１〜図５に関連して上述した方法と同じ方法により、キッチン食器棚はわん曲、例えば半円形のドアを有することができる。この場合、棚はドアの内部に取り付けたわん曲支持体に取り付けられ、この支持体は昇降手段によりドアの残部に関して上下に移動可能であり、これにより棚へのアクセスを容易にする。棚は、また、ドアの自由縁に隣接する、支持体の区域に枢動可能に取り付けられる。棚は、円形である必要はなく、ドアを容易に開閉することができるようにする任意適当な形状、例えば長円形又は楕円形とすることができる。上述したように、キッチン食器棚は、もし所望するならば、他の形状を有することができる。
【００５３】
図２１〜図２３は、種々の家庭用器具の構成の変形例を示し、より詳細には、スライド可能なドアを備えているケーシングを包含する、冷蔵庫と冷凍庫との組合体に関している。図２１は冷凍庫８３を包含する、冷蔵庫と冷凍庫との組合体が閉じている状態を示す。これに対し、図２２は、冷凍庫がその底部の区域に設けられている軌道装置８５又は同種物を包含し、これにより支持ユニット８７を冷凍庫の外へスライドできまた閉じた位置へ戻すことができるようにしたことを示す。図２２及び図２３から見ることができるように、一組の引出し８９は、支持ユニット８７内に取り付けられていると共に、図２３に概略的に示されている昇降手段９１を包含し、これにより、使用者が身を相当曲げる必要なしに、引出し８９へのアクセスを容易にする。図２３は、昇降手段９１が冷凍庫の構体に設けることができ、例えば、冷凍庫８３のための閉鎖体９３の内面、又はもし所望するならばこの器具に関してほかの場所に設けた軌道又は同種物の上を走行することができることを示す。このような昇降手段の構成は、十分に、平均の熟練者の能力内であって、いかなる創作力も必要とするものではない。
【００５４】
一組の引出し８９が所要位置へ上昇（又は下降）させられると、引出し８９は、それから、開かれ、その後閉じられる。もし所望するならば、昇降手段は、冷凍庫８３が開かれたときに自動的に作動させることができる（これは、また、手動的に又は適当なスイッチの手段により行うことができる）。代替的に、昇降手段は、適当なスイッチの手段により作動させることができ、又は手動的に作動可能とすることができる。引出しの開閉は、手動的に又は適当なスイッチの手段により行うことができる。
【図面の簡単な説明】
【００５５】
【図１】本発明による、冷蔵庫と冷凍庫との組合体の実施例を示す。
【図２】同じく、本発明による、冷蔵庫と冷凍庫との組合体の実施例を示す。
【図３】同じく、本発明による、冷蔵庫と冷凍庫との組合体の実施例を示す。
【図４】同じく、本発明による、冷蔵庫と冷凍庫との組合体の実施例を示す。
【図５】同じく、本発明による、冷蔵庫と冷凍庫との組合体の実施例を示す。
【図６】本発明の一態様によるチェスト型冷凍庫の実施例を示す。
【図７】同じく、本発明の一態様によるチェスト型冷凍庫の実施例を示す。
【図８】本発明による家庭用調理器具の実施例を示す。
【図９】同じく、本発明による家庭用調理器具の実施例を示す。
【図１０】同じく、本発明による家庭用調理器具の実施例を示す。
【図１１】本発明による冷蔵庫の実施例を示す。
【図１２】同じく、本発明による冷蔵庫の実施例を示す。
【図１３】同じく、本発明による冷蔵庫の実施例を示す。
【図１４】本発明による食器洗浄機の実施例を示す。
【図１５】同じく、本発明による食器洗浄機の実施例を示す。
【図１６】同じく、本発明による食器洗浄機の実施例を示す。
【図１７】本発明によるキッチン組込み器具の一部分の概略斜視図である。
【図１８】本発明の一態様によるキッチン食器棚の配置を示す。
【図１９】同じく、本発明の一態様によるキッチン食器棚の配置を示す。
【図２０】同じく、本発明の一態様によるキッチン食器棚の配置を示す。
【図２１】本発明による家庭用器具の構成の変形例を示す。
【図２２】同じく、本発明による家庭用器具の構成の変形例を示す。
【図２３】同じく、本発明による家庭用器具の構成の変形例を示す。
【図１】
2009526195.tif 000003
【図２】
2009526195.tif 000004
【図３】
2009526195.tif 000005
【図４】
2009526195.tif 000006
【図５】
2009526195.tif 000007
【図６】
2009526195.tif 000008
【図７】
2009526195.tif 000009
【図８】
2009526195.tif 000010
【図９】
2009526195.tif 000011
【図１０】
2009526195.tif 000012
【図１１】
2009526195.tif 000013
【図１２】
2009526195.tif 000014
【図１３】
2009526195.tif 000015
【図１４】
2009526195.tif 000016
【図１５】
2009526195.tif 000017
【図１６】
2009526195.tif 000018
【図１７】
2009526195.tif 000019
【図１８】
2009526195.tif 000020
【図１９】
2009526195.tif 000021
【図２０】
2009526195.tif 000022
【図２１】
2009526195.tif 000023
【図２２】
2009526195.tif 000024
【図２３】
2009526195.tif 000025
【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
家庭用器具において、ケーシングと、このケーシングに枢動可能に取り付けられているドア（５，３１，４５，６３）と、このドアが閉じられているときに前記ケーシング内に位置させられる貯蔵手段（７，３３，４７，５１，６５）と、前記貯蔵手段を支持すると共に、前記貯蔵手段へのアクセスを可能にするために前記ドアが開かれたときに前記ドアに関して上下に移動可能であるように前記ドアの内側に取り付けられている支持手段（１３，３７，５７，６９）とを包含し、前記貯蔵手段が前記ドアの自由縁の区域で前記支持手段に枢動可能に取り付けられ、これにより前記貯蔵手段が実質的に水平な面内に枢動して前記貯蔵手段内のアイテムへのアクセスを可能にするようにしたことを特徴とする家庭用器具。
【請求項２】
請求項１記載の家庭用器具において、前記ドア（５，３１，４５，６３）がわん曲されていることを特徴とする家庭用器具。
【請求項３】
請求項１又は２記載の家庭用器具において、前記ドア（４５）が開かれたときに前記ドアの少なくとも一部分を支持する手段（６１）が前記ドアに設けられていることを特徴とする家庭用器具。
【請求項４】
請求項１〜３のいずれか一項に記載の家庭用器具において、前記支持手段（１３，３７，５７，６９）が前記ドアの内面に取り付けられている軌道部材（１５，３９，５９，７１）を包含することを特徴とする家庭用器具。
【請求項５】
請求項１〜４のいずれか一項に記載の家庭用器具において、前記貯蔵手段（７，３３，４７，５１，６５）がヒンジ（９，３５，４９，６７）の手段により前記支持手段（１３，３７，５７，６９）に取り付けられていることを特徴とする家庭用器具。
【請求項６】
請求項１〜５のいずれか一項に記載の家庭用器具において、前記貯蔵手段（７，３３，４７，５１，６５）が前記支持手段（１３，３７，５７，６９）から取外し可能であることを特徴とする家庭用器具。
【請求項７】
請求項１〜６のいずれか一項に記載の家庭用器具において、前記貯蔵手段がトレー（７）、棚（３３，４７）及びバスケット（６５）から選択されることを特徴とする家庭用器具。
【請求項８】
請求項１〜７のいずれか一項に記載の家庭用器具において、前記貯蔵手段（７，３３，４７）がわん曲されていることを特徴とする家庭用器具。
【請求項９】
請求項１〜８のいずれか一項に記載の家庭用器具において、前記貯蔵手段が手動的に上下に移動可能であることを特徴とする家庭用器具。
【請求項１０】
請求項１〜８のいずれか一項に記載の家庭用器具において、前記貯蔵手段が自動的に上下に移動可能であることを特徴とする家庭用器具。
【請求項１１】
請求項１〜１０のいずれか一項に記載の家庭用器具において、前記貯蔵手段が手動的に枢動可能であることを特徴とする家庭用器具。
【請求項１２】
請求項１〜１０のいずれか一項に記載の家庭用器具において、前記貯蔵手段が自動的に枢動可能であることを特徴とする家庭用器具。
【請求項１３】
請求項１〜１２のいずれか一項に記載の家庭用器具において、家庭用器具が冷蔵庫、冷凍庫（３，５１）、調理器具、食器洗浄機、及び例えば食器棚のような調度品から選択されることを特徴とする家庭用器具。
【手続補正２】
【補正対象書類名】明細書
【補正対象項目名】全文
【補正方法】変更
【補正の内容】
【発明の詳細な説明】
【技術分野】
【０００１】
本発明は、例えば冷蔵庫、調理器具、冷凍庫などの家庭用器具に関する改良に関し、家庭用器具にはまた例えばキッチン食器棚などの調度品も含まれる。
【背景技術】
【０００２】
家庭用器具は一般にエネルギー効率がよく、有効に作動するけれども、このような家庭用器具の内部へアクセスすることがしばしば使用者にとって不便であり、使用者は、しばしば、身を曲げること、例えば背を曲げること又はひざまずくこととが必要であることがわかっており、また、家庭用器具の内部に手を伸ばしてアイテムを取ることが困難であることもわかっている。
【０００３】
例えば、冷蔵庫がこの冷蔵庫の中に貯蔵されている食品のようなアイテムでいっぱいであるときは、使用者にとって、棚の背面区域に貯蔵されているアイテムを見つけて取り出すことは困難である。一般に、所望したアイテムを見つけるためには、他のアイテムを取り出すこと又は少なくとも動かすことが必要とされる。
【０００４】
また、冷蔵庫の底部の冷凍区画室又は他の区域へアクセスすることは、老人又は体が弱い人にとっては困難であり、これらの人は若い使用者と同じ動き範囲をとることができない。冷蔵庫の下方区域へアクセスするために使用者が身を曲げることは、多くの使用者にとって困難であって、フラストレーションを起こさせるものであり、またけがを生じさせるものである。
【０００５】
チェスト型冷凍庫がアイテムで一杯であるときには、使用者にとって、冷凍庫の底部に貯蔵されているアイテムを見つけることは困難であって、フラストレーションを起こさせるものである。すなわち、使用者にとって、アイテムを見つけることが困難であるのみならず、冷凍庫の内部の下方区域へ手を伸ばすために身を曲げることが必要とされる。
【０００６】
同様な問題は、キッチンフロアの区域に置かれているキッチン食器棚でも生じる。
【発明の開示】
【発明が解決しようとする課題】
【０００７】
したがって、本発明の目的は公知の家庭用器具の上述した欠点を除去又は少なくとも改善する、改良した家庭用器具を提供することにある。
【課題を解決するための手段】
【０００８】
本発明によれば、家庭用器具において、ケーシングと、このケーシングに枢動可能に取り付けられているドアと、このドアが閉じられているときに前記ケーシング内に位置させられる貯蔵手段と、前記貯蔵手段を支持すると共に、前記貯蔵手段へのアクセスを可能にするために前記ドアが開かれたときに前記ドアに関して上下に移動可能であるように前記ドアの内側に取り付けられている支持手段とを包含し、前記貯蔵手段が前記ドアの自由縁の区域で前記支持手段に枢動可能に取り付けられ、これにより前記貯蔵手段が実質的に水平な面内に枢動して前記貯蔵手段内のアイテムへのアクセスを可能にするようにしたことを特徴とする家庭用器具が提供される。
【０００９】
前記ドアは、わん曲することがきる。
【００１０】
前記ドアが開かれたときに前記ドアの少なくとも一部分を支持する手段を、前記ドアに設けることができる。
【００１１】
前記支持手段は、前記ドアの内面に取り付けられている軌道部材を包含することができる。
【００１２】
前記貯蔵手段は、ヒンジの手段により前記支持手段に取り付けることができる。
【００１３】
前記貯蔵手段は、前記支持手段から取外し可能とすることができる。
【００１４】
前記貯蔵手段は、トレー、棚及びバスケットから選択することができる。
【００１５】
前記貯蔵手段は、わん曲することができる。
【００１６】
前記貯蔵手段は、手動的に又は自動的に上下に移動可能とすることができる。
【００１７】
前記貯蔵手段は、手動的に又は自動的に枢動可能とすることができる。
【００１８】
家庭用器具は冷蔵庫、冷凍庫、調理器具、食器洗浄機、及び例えば食器棚のような調度品から選択することができる。
【発明を実施するための最良の形態】
【００１９】
本発明を良く理解し、また本発明が実際にどのようにして実施されるかを一層明確に示すために、以下添付図面を参照して本発明の実施例について詳述する。
【００２０】
図１〜図５は上方部分に冷蔵庫１をまた下方部分に冷凍庫３を有する、冷蔵庫と冷凍庫との組合体の実施例を示す。図１は、この器具の上下両部分のドアが閉じていることを示す斜視図であって、器具がわん曲、例えば半円形の正面部を有する、大体矩形状のボックス又はケーシングの形であることを示す。しかしながら、器具は任意の適当な全体形状を有することができることを留意すべきである。冷蔵庫１及び冷凍庫３の両方の内部に適当なスペース、例えば図２〜図５に示されているように円形の断面のスペースを形成して円筒形の形状のスペースを形成するために、冷蔵庫１及び冷凍庫３の内部もまたわん曲、例えば半円形の形状とすることができる。
【００２１】
図２は冷凍庫のドア５が開いている状態を示し、ドア５はヒンジ６又は同種物に開閉自在に枢着されている。ドア５の内側部は複数の実質的に円筒形のトレー７（又はコンパートメント）を保持し、これらのトレー７は冷凍庫３の円筒形内部内に収納される。このような構成は、冷凍庫のドア５を容易に開閉することができるようにする。器具の頂部に概略的に示されているものは円形部材１１であり、一対の矢印は冷凍庫１の円筒形内部内の多数の棚（図示せず）が回転可能であることを示す。これについては、後で一層詳細に説明する。
【００２２】
図３から見ることができるように、複数のトレー７はヒンジ９の手段によりドア５の自由縁の区域に枢動可能に取り付けられ、その結果、これらのトレー７は冷凍庫３及びそのドア５から外側の実質的に水平な面内に枢動可能であり、これによりトレー７の内容物へのアクセスを容易にする。トレー７は、また、例えばヒンジ９の手段によりドア５から取外し可能であり、これによりドアの掃除を容易にする。トレー７は、円形である必要はなく、冷蔵庫のドア及び冷凍庫のドアを容易に開閉することができるようにする任意適当な形状、例えば長円形又は楕円形とすることができる。図３の冷凍庫３は図２に示されている冷凍庫３よりも小さく、３つだけのトレー７のためのスペースがあり、それに対応して冷凍庫１が大きくなっている。
【００２３】
図４は、トレー７が冷凍庫３のドア５に取り付けたわん曲支持体１３に枢動可能に取り付けられ、支持体１３が図４に概略的に示されている昇降手段１５によりドア５の残部に関して上下に移動可能であり、これにより使用者が身を相当曲げる必要なしにトレー７の内容物へのアクセスを容易にすることを示す。図４は、上昇した位置のトレー７を示す。図４に示されているように、昇降手段又は機構１５は、ドア５の構体に設けることができ、例えば、摩擦を最小にするためにドア５の内面に設けた軌道又は同種物の上を走行することができ、また、電動機をその関連する歯車機構と一緒に包含することができる。しかしながら、昇降手段は器具に関してほかの場所に、例えばドア５の外部に設けることができることを留意すべきである。このような昇降手段の構成は、十分に、平均の熟練した者の能力内のものであり、いかなる創作力も必要とするものではない。もし所望するならば、昇降手段１５は、冷凍庫のドア５が開かれたときに、自動的に作動せしめることができる。代替的に、昇降手段は適当なスイッチの手段に作動せしめることができ、又は手動的に作動せしめることができる。昇降手段１５が自動的に作動させられる場合には、これは例えば適当なスイッチの手段により冷凍庫のドア５の自動開きと結合することができる。トレー７は、自動的に又は手動的に、個々に又は全部一緒に外側へ回転させることができる。
【００２４】
図５において、冷凍庫１のドア１７が開かれて、複数の円形の棚１９を見せている。図５の棚１９の部分に付した矢印により示されているように、これらの棚１９はどちらの方向へも回転することができる。もし所望するならば、これらの棚１９は回転装置２１により回転させることができ、回転装置２１はこれらの棚１９を個々に又は全部一緒に回転せしめることができる。回転装置２１は、これらの棚１９を、予めセットした又は使用者により選択可能な多数の異なるモードで回転させることができる。例えば、棚は、自動的に又は半自動的に（例えば、スイッチの各作動に対して所定の回転角度）回転させることができ、又はもし所望するならば段々に回転させることができる。他の代替例として、棚１９は、例えば適当なスイッチを作動せしめることにより、手動制御の下で回転させることができる。更に他の代替例として、回転装置２１を省略して棚１９を人為的に回転させることができる。
【００２５】
このような器具は、ASCEART（Automated Shelves Compartment Elevator And Revolving Technology）器具と称することができる。
【００２６】
図６及び図７は、チェスト型冷凍庫の斜視図である。図７は、ケーシング及び並んで配置された多数のコンパートメント２３を有する冷凍庫を示し、各コンパートメントは複数の引出し２５を有している。これに対し、図６は冷凍庫の本体２７内に下降されているコンパートメント２３及び冷凍庫を閉じた状態に密封していることを示している。したがって、コンパートメント２３の頂部は、本体２７内に完全に下降させられたときに、冷凍庫のための蓋として働く。コンパートメント２３は、これらのコンパートメントを最小の摩擦で上下に動かす支持装置（図示せず）の手段により、本体２７内に取り付けられている。図７から見ることができるように、コンパートメント２３は異なる高さに上昇することができ、したがって異なる数の引出し２５を露出することができる。コンパートメントは、互いに独立して昇降させることができ、また同一又は異なる高さに上昇せしめることができ、又は単一のコンパートメントだけを単独に上昇せしめることができる。したがって使用者は、身を相当曲げる必要なしに所望した引出し２５を開いてアクセスするために適当な高さにコンパートメント２３を上昇せしめるために、例えば支持装置を作動せしめる適当なスイッチを用いることにより、選択したコンパートメントを上昇せしめることができる。引出しは、取っ手２９を用いることにより手動的に開閉することができ、又は適当なスイッチを用いることにより、自動的に開閉することができる。このような支持装置の構成は、十分に、平均の熟練した者の能力内のものであり、それ自体いかなる創作力も必要とするものではない。
【００２７】
図８〜図１０は、家庭用調理器具を示す。図８は、オーブンドア３１が閉じた位置である状態の調理器具の斜視図である。図８から見ることができるように、調理器具はわん曲、例えば半円形の正面部を有する、大体矩形状のボックス又はケーシングの形である。しかしながら、調理器具は任意適当な形状とすることができるものである。オーブン内に適当なスペース、例えば円形の断面のスペースを形成して円筒形の形状のスペースを形成するために、オーブンの内部はわん曲、例えば半円形にわん曲せしめることができる。
【００２８】
図９はオーブンのドア３１が開いた位置にある状態を示し、ドア３１はヒンジ３２又は同種物に枢動可能に取り付けられている。ドア３１の内側部は複数の実質的に円形のオーブン棚３３を担持し、これらのオーブン棚３３はオーブンの円筒形内部内に収納されている。このような構成は、オーブン内のオーブン棚をつかむことなしに、オーブンのドア３１を開閉することを容易にする。
【００２９】
図９及び図１０から見ることができるように、オーブン棚３３はヒンジ３５又は同種物の手段によりオーブンドア３１の自由縁の区域に枢動可能に取り付けられ、その結果、これらのオーブン棚３３はオーブン及びオーブンドアから外側の実質的に水平な面内に枢動可能であり、これによりオーブン棚へのアクセスを容易にする。オーブン棚３３は、また、例えばヒンジ３５の手段によりオーブンドアから取外し可能であり、これによりオーブンドアの掃除を容易にすると共にオーブン棚の数を変えることができる。オーブン棚３３は、更に、それらの間の間隔をオーブン内で調理しようとする食品と適合せしめるために、互いに関して上下に移動可能である。オーブン棚３３は、円形である必要はなく、オーブンのドアを容易に開閉することができるようにする任意適当な形状、例えば長円形又は楕円形とすることができる。図１０のオーブンの構成は図９のオーブンの構成とは異なっており、３つのオーブン棚３３が図１０のオーブンに設けられているのに対し、２つだけのオーブン棚３３が図９のオーブンに設けられていることに留意すべきである。
【００３０】
特に図１０から見ることができるように、オーブン棚３３はわん曲した支持体３７に枢動可能に取り付けられ、支持体３７がそれからオーブンドア３１の内面に取り付けられている。支持体３７は、図１０に概略的に示されている昇降手段又は機構３９によりオーブンドア３１の残部に関して上下に移動可能であり、これにより使用者が身を相当曲げる必要なしにオーブン棚３３へのアクセスを容易にする。図１０は、上昇した位置のオーブン棚３３を示す。図１０に示されているように、昇降手段３９は、ドア３１の構体に設けることができ、例えば、ドアの内面に設けた軌道又は同種物の上を走行することができる。このような昇降手段の構成は、十分に、平均の熟練したものの能力内のものであり、それ自体いかなる創作力も必要としないものである。もし所望するならば、昇降手段３９は、オーブンドア３１が開かれたときに、自動的に作動せしめることができる。代替的に、昇降手段は適当なスイッチの手段により作動せしめることができ、又は手動的に作動せしめることができる。昇降手段３９が自動的に作動させられる場合には、これは例えば適当なスイッチの手段によりオーブンドア３１の自動開きと結合することができる。オーブン棚３３は、自動的に又は手動的に、個々に又は全部一緒に外側へ枢動させることができる。
【００３１】
オーブンに加え、図８〜図１０の家庭用調理器具は、また、複数の加熱区域４３が設けられているホブ４１を包含する。図９及び図１０に矢印により示されているように、ホブ４１は、オーブンの上に回転可能に取り付けられ、これにより使用者がホブを回転せしめて、所望した加熱区域４３をホブの背面区域からホブの正面区域にもたらすことができるようにしている。このような構成は、加熱区域４３が使用されていることと関係なく、使用者が調理器具へ容易にアクセスすることができるようにする。これは、特に、すべての加熱区域が使用されているときに、又は異なる大きさの加熱区域が要求されているときに、有益である。このような回転装置の構成は、十分に、平均の熟練した者の能力内のものであり、それ自体いかなる創作力も必要としないものである。
【００３２】
図１１〜図１３は、冷蔵庫、より詳細にはアンダーカウンター型冷蔵庫の変形例を示す。図１１は、冷蔵庫のドアが閉じている状態を示すと共に、冷蔵庫がわん曲、例えば半円形の正面部を有する、大体矩形状のボックス又はケーシングの形であることを示す。しかしながら、この器具は任意の適当な形状とすることができるものである。器具内に適当なスペース、例えば図１２及び図１３に示されているように円形の断面のスペースを形成して円筒形の形状のスペースを形成するために、冷蔵庫の内部もまたわん曲、例えば半円形にわん曲せしめることができる。
【００３３】
図１２及び図１３は、冷蔵庫のドア４５をヒンジ４６又は同種物を介して枢動せしめることにより、ドア４５が開かれている状態を示し、冷蔵庫の円形内部内に収納されていた複数の実質的に円形の棚（又はトレー）４７を見せている。このような構成は、冷蔵庫のドア４５を容易に開閉することができるようにする。２つの棚４７が図１２に示されているのに対し、３つの棚４７が図１３に示されていることを留意すべきである。
【００３４】
図１２及び図１３から見ることができるように、複数の棚４７はヒンジ４９又は同種物の手段によりドア４５の自由縁の区域に枢動可能に取り付けられ、その結果、これらの棚４７は冷蔵庫及びそのドア４５から外側の実質的に水平な面内に枢動可能であり、これにより棚４７上に貯蔵されている、冷蔵庫の内容物へのアクセスを容易にする。棚４７は、また、例えばヒンジ４９の手段によりドア４５から取外し可能であり、これによりドアの掃除を容易にする。棚４７は、円形である必要はなく、冷蔵庫のドアを容易に開閉することができるようにする任意適当な形状、例えば長円形又は楕円形とすることができる。
【００３５】
図１２及び図１３は、また、実質的に円形の冷凍コンパートメント５１を示す。この冷凍コンパートメント５１もまたひとつ又はそれ以上のヒンジ４９の手段によりドア４５の自由縁の区域に枢動可能に取り付けられ（また、ドア４５から取外し可能であり）、その結果、冷凍コンパートメント５１は冷蔵庫から外側の実質的に水平な面内に枢動可能であり、これにより冷凍コンパートメントの内部へのアクセスを容易にする。また、冷凍コンパートメント５１にはカバー（又は蓋）５３が設けられ、このカバーは棚４７と同じようにヒンジの手段によりドア４５の自由縁の区域に枢動可能に取り付けられ、これにより冷凍コンパートメント５１の内部へのアクセスをできるようにする。代替的に、カバー５３はそれ自体に枢動可能に取り付けることができる。冷凍コンパートメント５１には、冷凍コンパートメントの内部を冷却する手段に冷蔵庫の内部を接続する接続手段５５が設けられている。
【００３６】
図１２及び図１３は、棚４７及び冷凍コンパートメント５１が冷蔵庫のドア４５に取り付けたわん曲支持体５７に枢動可能に取り付けられ、支持体５７が図１２及び図１３に概略的に示されている昇降手段又は機構５９によりドア４５の残部に関して上下に移動可能であり、これにより使用者が身を相当曲げる必要なしに棚及び冷凍コンパートメントの内容物へのアクセスを容易にすることを示す。図１３は、上昇した位置の棚４７を示す。図１３に示されているように、昇降手段又は機構１５は、ドア４５の構体に設けることができ、例えば、ドア４５の内面に設けた軌道又は同種物の上を走行することができる。昇降手段は、もし所望するならば、器具に関してほかの場所に、設けることができる。このような昇降手段の構成は、十分に、平均の熟練した者の能力内のものであり、いかなる創作力も必要とするものではない。もし所望するならば、昇降手段５９は、冷蔵庫のドア４５が開かれたときに、自動的に作動せしめることができる。代替的に、昇降手段は適当なスイッチの手段により作動せしめることができ、又は手動的に作動せしめることができる。昇降手段５９が自動的に作動させられる場合には、これは例えば適当なスイッチの手段により冷蔵庫のドア４５の自動開きと結合することができる。棚４７、及びもし所望するならば冷凍コンパートメント５１は、自動的に又は手動的に作動させられて、個々に又は全部一緒に外側へ回転させることができる。
【００３７】
冷蔵庫のドア４５には、接地支持手段６１を設けることができる。この接地支持手段６１は、ドアが開かれたときに、ドアの自由縁においてドアを支持するのを助け、これにより、ドアが開かれたときにおけるドア及びその支持体上の応力を減少せしめる。接地支持手段６１は、もし所望するならば、車輪、キャスター又は同種物から成ることができる。
【００３８】
図１４〜図１６は、食器洗浄機の実施例を示す。図１４は、食器洗浄機のドアが閉じている状態を示すと共に、食器洗浄機がわん曲、例えば半円形の正面部を有する、大体矩形状のボックス又はケーシングの形であることを示す。しかしながら、この器具はもし所望するならば他の形状とすることができるものである。器具内に適当なスペース、例えば図１５及び図１６に示されているように円形の断面のスペースを形成して円筒形の形状のスペースを形成するために、食器洗浄機の内部もまたわん曲、例えば半円形にわん曲せしめることができる。
【００３９】
図１５及び図１６は、食器洗浄機のドア６３をヒンジ６４又は同種物を介して枢動せしめることにより、ドア６３が開かれている状態を示し、食器洗浄機の円形内部内に収納されていた複数の実質的に円形のバスケット６５を見せている。このような構成は、食器洗浄機のドア１３を容易に開閉することができるようにする。
【００４０】
図１５及び図１６から見ることができるように、複数のバスケット６５はヒンジ６７又は同種物の手段によりドア６３の自由縁の区域に枢動可能に取り付けられ、その結果、これらのバスケット６５は食器洗浄機及びそのドア６３から外側の実質的に水平な面内に枢動可能であり、これにより食器洗浄機のバスケット６５内に積み上げられているアイテムへのアクセスを容易にする。バスケット６５は、また、例えばヒンジ６７の手段により食器洗浄機のドア６３から取外し可能であり、これによりドアの掃除を容易にする。バスケット６５は、円形である必要はなく、食器洗浄機のドアを容易に開閉することができるようにする任意適当な形状、例えば長円形又は楕円形とすることができる。
【００４１】
図１５及び１６は、バスケット６５が食器洗浄機のドア６３に取り付けたわん曲支持体６９に枢動可能に取り付けられ、支持体６９が図１６に概略的に示されている昇降手段又は機構７１によりドア６３の残部に関して上下に移動可能であり、これにより使用者が身を相当曲げる必要なしにバスケット６５の内容物へのアクセスを容易にすることを示す。図１６は、上昇した位置のバスケット６５を示す。図１６に示されているように、昇降手段７１は、ドア６３の構体に設けることができ、例えば、ドア６３の内面又はもし所望するならば器具に関してほかの場所に設けた軌道又は同種物の上を走行することができる。このような昇降手段の構成は、十分に、平均の熟練した者の能力内のものであり、いかなる創作力も必要とするものではない。もし所望するならば、昇降手段７１は、食器洗浄機のドア６３が開かれたときに、自動的に作動せしめることができる。代替的に、昇降手段は適当なスイッチの手段により作動せしめることができ、又は手動的に作動せしめることができる。昇降手段７１が自動的に作動させられる場合には、これは例えば適当なスイッチの手段により食器洗浄機のドア６３の自動開きと結合することができる。バスケット６５は、自動的に又は手動的に作動させられて、個々に又は全部一緒に外側へ回転させることができる。
【００４２】
図１７は、図８〜図１０による調理器具、及び図１〜図５による冷蔵庫と冷凍庫との組合体を組み込んでいるキッチンの一部分の斜視図である。
【００４３】
図１８〜図２０はキッチンの食器棚の配置の斜視図であり、少なくとも食器棚７３及び７５はケーシング及びドアを包含して、本発明の態様を具体化している。図１９から見ることができるように、食器棚７３及び７５は、食器棚の頂部（食器棚７３の場合）又は食器棚の底部（食器棚７５の場合）の区域に設けることができる軌道装置７７又は同種の装置を包含し、これにより、棚ユニット７９を食器棚から外へスライドすること及び閉じ位置へ戻すことができる。
【００４４】
図２０から見ることができるように、棚ユニット７９は図２０に矢印により示されている昇降装置を包含し、これにより棚ユニットの棚８１を適当に昇降せしめることができる。図２０から明らかであるように、地面レベルの上方に十分な距離を置いている棚８１は、最初に下降させられて棚の内容物へのアクセスを可能にし、それから上昇させられる。一方、地面レベルに近い棚は最初に上昇させられて棚の内容物へのアクセスを可能にし、それから下降させられる。したがって、食器棚７３の棚８１は下降させられてアクセスを可能にし、それから上昇させられ食器棚内にしまい込まれるのに対し、食器棚７５の棚８１は上昇させられてアクセスを可能にし、それから下降させられて食器棚内にしまいこまれる。
【００４５】
図２０は、また、棚８１が動かされると（下降又は上昇させられると）、棚８１は、それから、図２０に矢印により示されているように、実質的に水平な面内に動かすことができ、これにより個々の棚へのアクセスを更に改善せしめることを示す。棚８１は、棚ユニット７９の最初の動きと大体同じ方向に動くことができ、これにより棚ユニットと棚との組合体を単一の方向へ更に延ばすことができる。又は、代替的に、棚８１は棚ユニット７９の動きの最初の方向に対して実質的に垂直な方向（横方向）へ動かすことができる。
【００４６】
もし所望するならば、昇降手段は、食器棚７３，７５が開かれたときに、自動的に作動させることができる。代替的に、昇降手段は適当なスイッチの手段により作動させることができ、又は手動的に作動可能とすることができる。棚の更なる動きは、手動的に又は適当なスイッチの手段により行うことができる。
【００４７】
スライド棚は、もし所望するならば、他の型式の棚に代えることができることを留意すべきである。例えば、棚は軸線のまわりを回転可能にすることができ、又はひとつ又はそれ以上の棚は引出し、例えば刃物類入れに代えることができる。
【００４８】
代替的な例として、例えば図１〜図５に関連して上述した方法と同じ方法により、キッチン食器棚はわん曲、例えば半円形のドアを有することができる。この場合、棚はドアの内部に取り付けたわん曲支持体に取り付けられ、この支持体は昇降手段によりドアの残部に関して上下に移動可能であり、これにより棚へのアクセスを容易にする。棚は、また、ドアの自由縁に隣接する、支持体の区域に枢動可能に取り付けられる。棚は、円形である必要はなく、ドアを容易に開閉することができるようにする任意適当な形状、例えば長円形又は楕円形とすることができる。上述したように、キッチン食器棚は、もし所望するならば、他の形状を有することができる。
【００４９】
図２１〜図２３は、種々の家庭用器具の構成の変形例を示し、より詳細には、スライド可能なドアを備えているケーシングを包含する、冷蔵庫と冷凍庫との組合体に関している。図２１は冷凍庫８３を包含する、冷蔵庫と冷凍庫との組合体が閉じている状態を示す。これに対し、図２２は、冷凍庫がその底部の区域に設けられている軌道装置８５又は同種物を包含し、これにより支持ユニット８７を冷凍庫の外へスライドできまた閉じた位置へ戻すことができるようにしたことを示す。図２２及び図２３から見ることができるように、一組の引出し８９は、支持ユニット８７内に取り付けられていると共に、図２３に概略的に示されている昇降手段９１を包含し、これにより、使用者が身を相当曲げる必要なしに、引出し８９へのアクセスを容易にする。図２３は、昇降手段９１が冷凍庫の構体に設けることができ、例えば、冷凍庫８３のための閉鎖体９３の内面、又はもし所望するならばこの器具に関してほかの場所に設けた軌道又は同種物の上を走行することができることを示す。このような昇降手段の構成は、十分に、平均の熟練者の能力内であって、いかなる創作力も必要とするものではない。
【００５０】
一組の引出し８９が所要位置へ上昇（又は下降）させられると、引出し８９は、それから、開かれ、その後閉じられる。もし所望するならば、昇降手段は、冷凍庫８３が開かれたときに自動的に作動させることができる（これは、また、手動的に又は適当なスイッチの手段により行うことができる）。代替的に、昇降手段は、適当なスイッチの手段により作動させることができ、又は手動的に作動可能とすることができる。引出しの開閉は、手動的に又は適当なスイッチの手段により行うことができる。
【図面の簡単な説明】
【００５１】
【図１】本発明の一態様による、冷蔵庫と冷凍庫との組合体を概略的に示す斜視図である。
【図２】図１の冷凍庫のドアを開いた状態を概略的に示す斜視図である。
【図３】図２の変形例を概略的に示す斜視図である。
【図４】図２の他の変形例を概略的に示す斜視図である。
【図５】図２の更に他の変形例を概略的に示す斜視図である。
【図６】本発明の他の態様によるチェスト型冷凍庫を概略的に示す斜視図である。
【図７】図６の冷凍庫内の複数の引出しを冷凍庫の外へ上昇せしめた状態を概略的に示す斜視図である。
【図８】本発明の更に他の態様による家庭用調理器具を概略的に示す斜視図である。
【図９】図８の調理器具のドアを開いた状態を概略的に示す斜視図である。
【図１０】図９の変形例を概略的に示す斜視図である。
【図１１】本発明の更に他の態様によるアンダーカウンター型冷蔵庫を概略的に示す斜視図である。
【図１２】図１１の冷蔵庫のドアを開いた状態を概略的に示す斜視図である。
【図１３】図１２の変形例を概略的に示す斜視図である。
【図１４】本発明の更に他の態様による食器洗浄機を概略的に示す斜視図である。
【図１５】図１４の食器洗浄機のドアを開いた状態を概略的に示す斜視図である。
【図１６】図１５の変形例を概略的に示す斜視図である。
【図１７】本発明の更に他の態様によるキッチン組込み器具の一部分を概略的に示す斜視図である。
【図１８】本発明の更に他の態様によるキッチン食器棚の配置を概略的に示す斜視図である。
【図１９】図１８のキッチン食器棚内の棚ユニットを食器棚の外へスライドした状態を概略的に示す斜視図である。
【図２０】図１９の変形例を概略的に示す斜視図である。
【図２１】本発明の更に他の態様による、冷蔵庫と冷凍庫との組合体を概略的に示す斜視図である。
【図２２】図２１の冷凍庫内の支持ユニットを冷凍庫の外へスライドした状態を概略的に示す斜視図である。
【図２３】図２２の支持ユニット内の一組の引出しを上昇せしめた状態を概略的に示す斜視図である。
【国際調査報告】
2009526195.tif 000026
2009526195.tif 000027
2009526195.tif 000028
2009526195.tif 000029